(57)【要約】      （修正有）【課題】基板の強度が向上した平板ディスプレイパネルを提供する。【解決手段】第１基板１０１と、第１基板上に配されたディスプレイ部と、ディスプレイ部が内側に位置するように第１基板上に配され、第１基板の一側が露出されるように配される第２基板１０２と、第１基板上であって第２基板の外側に露出された部分に配され、ディスプレイ部に電気的に連結された端子部１０３と、第１基板の強度を高めるために第１基板に塗布されるガラス強化剤１０４と、を備える平板ディスプレイパネルである。【選択図】図１
2010262295.tif 000002
【特許請求の範囲】
【請求項１】
第１基板と、
前記第１基板上に配されたディスプレイ部と、
前記ディスプレイ部が内側に位置するように前記第１基板上に配され、前記第１基板の一側が露出されるように配される第２基板と、
前記第１基板上であって前記第２基板の外側に露出された部分に配され、前記ディスプレイ部に電気的に連結された端子部と、
前記第１基板の強度を高めるために前記第１基板に塗布されるガラス強化剤と、を備えることを特徴とする平板ディスプレイパネル。
【請求項２】
前記ガラス強化剤は、前記第１基板上であって前記第２基板の外側に露出された部分に塗布されることを特徴とする請求項１に記載の平板ディスプレイパネル。
【請求項３】
前記ガラス強化剤は、前記端子部を覆うように塗布されることを特徴とする請求項２に記載の平板ディスプレイパネル。
【請求項４】
前記ガラス強化剤は、前記第１基板の露出された部分と前記第２基板とが接する領域及び前記第１基板の露出された部分を塗布することを特徴とする請求項１に記載の平板ディスプレイパネル。
【請求項５】
前記第１基板の露出された部分上に塗布された前記ガラス強化剤上に塗布された防湿剤をさらに備えることを特徴とする請求項４に記載の平板ディスプレイパネル。
【請求項６】
前記ガラス強化剤は、前記第１基板の露出された部分と前記第２基板とが接する領域に塗布されることを特徴とする請求項１に記載の平板ディスプレイパネル。
【請求項７】
前記第１基板上であって前記第２基板の外側に露出された部分を塗布する防湿剤をさらに備える特徴とする請求項６に記載の平板ディスプレイパネル。
【請求項８】
前記防湿剤は、前記端子部を覆うように塗布されることを特徴とする請求項７に記載の平板ディスプレイパネル。
【請求項９】
前記端子部を覆うように塗布される防湿剤をさらに備え、
前記ガラス強化剤は、前記防湿剤を覆うように塗布されることを特徴とする請求項１に記載の平板ディスプレイパネル。
【請求項１０】
前記ガラス強化剤は、前記第１基板の露出された部分と前記第２基板とが接する領域及び前記防湿剤を覆うように塗布されることを特徴とする請求項９に記載の平板ディスプレイパネル。
【請求項１１】
前記端子部に電気的に連結されるフレキシブル印刷回路基板をさらに備えることを特徴とする請求項１に記載の平板ディスプレイパネル。
【発明の詳細な説明】
【技術分野】
【０００１】
本発明は、平板ディスプレイパネルに係り、さらに詳細には、端子部が形成された基板の強度が向上した平板ディスプレイパネルに関する。
【背景技術】
【０００２】
平板ディスプレイパネルは、ディスプレイ部が配された第１基板と、前記第１基板と接して、前記ディスプレイ部を密封する第２基板と、を備える。
【０００３】
前記第１基板上には、前記ディスプレイ部と電気的に連結されるパッド部が配され、前記パッド部が形成される第１基板上の部分は、第２基板によって覆わず、第２基板の外側に露出される。すなわち、前記パッド部が配される第１基板の部分は、第２基板と接合されない単一基板を形成する。したがって、第１基板の他部分に比べて、前記パッド部が配される第１基板の部分は、強度が弱く、これにより、外部衝撃によって破損される恐れもある。
【発明の概要】
【発明が解決しようとする課題】
【０００４】
本発明が解決しようとする課題は、基板の強度が向上した平板ディスプレイパネルを提供することである。
【課題を解決するための手段】
【０００５】
本発明に関する平板ディスプレイパネルは、第１基板と、前記第１基板上に配されたディスプレイ部と、前記ディスプレイ部が内側に位置するように前記第１基板上に配され、前記第１基板の一側が露出されるように配される第２基板と、前記第１基板上であって前記第２基板の外側に露出された部分に配され、前記ディスプレイ部に電気的に連結された端子部と、前記第１基板の強度を高めるために、前記第１基板に塗布されるガラス強化剤と、を備える。
【０００６】
本発明において、前記ガラス強化剤は、前記第１基板上であって前記第２基板の外側に露出された部分に塗布されうる。
【０００７】
本発明において、前記ガラス強化剤は、前記端子部を覆うように塗布されうる。
【０００８】
本発明において、前記ガラス強化剤は、前記第１基板の露出された部分と前記第２基板とが接する領域及び前記第１基板の露出された部分に塗布されうる。
【０００９】
本発明において、前記第１基板の露出された部分上に塗布された前記ガラス強化剤上に塗布された防湿剤をさらに備えうる。
【００１０】
本発明において、前記ガラス強化剤は、前記第１基板の露出された部分と前記第２基板とが接する領域に塗布されうる。
【００１１】
本発明において、前記第１基板上であって前記第２基板の外側に露出された部分を塗布する防湿剤をさらに備えうる。
【００１２】
本発明において、前記防湿剤は、前記端子部を覆うように塗布されうる。
【００１３】
本発明において、前記端子部を覆うように塗布される防湿剤をさらに備え、前記ガラス強化剤は、前記防湿剤を覆うように塗布されうる。
【００１４】
本発明において、前記ガラス強化剤は、前記第１基板の露出された部分と前記第２基板とが接する領域及び前記防湿剤を覆うように塗布されうる。
【００１５】
本発明において、前記端子部に電気的に連結されるフレキシブル印刷回路基板をさらに備えうる。
【発明の効果】
【００１６】
本発明の平板ディスプレイパネルによれば、基板の強度を向上させうる。
【図面の簡単な説明】
【００１７】
【図１】本発明の第１実施形態による平板ディスプレイパネルを概略的に示す斜視図である。
【図２】本発明の第２実施形態による平板ディスプレイパネルを概略的に示す斜視図である。
【図３】本発明の第３実施形態による平板ディスプレイパネルを概略的に示す斜視図である。
【図４】本発明の第４実施形態による平板ディスプレイパネルを概略的に示す斜視図である。
【図５】本発明の第５実施形態による平板ディスプレイパネルを概略的に示す斜視図である。
【発明を実施するための形態】
【００１８】
以下、添付した図面に示された本発明の実施形態を参照して、本発明を詳細に説明する。
【００１９】
図１は、本発明の第１実施形態による平板ディスプレイパネル１００を概略的に示す斜視図である。
【００２０】
図１を参照すれば、本発明の第１実施形態による平板ディスプレイパネル１００は、第１基板１０１、第２基板１０２、端子部１０３、ガラス強化剤１０４、フレキシブル印刷回路基板１０７を備える。
【００２１】
第１基板１０１の一領域１０１ａ上には、ディスプレイ部（図示せず）が配され、第２基板１０２は、前記ディスプレイ部を覆うように第１基板１０１上に配される。第１基板１０１と第２基板１０２とは、シーラント（図示せず）によって接合され、前記ディスプレイ部は、第２基板１０２によって密封される。第２基板１０２は、第１基板１０１の一側１０１ｂが露出されるように配される。
【００２２】
第１基板１０１上であって第２基板１０２の外側に露出された領域１０１ｂ上には、端子部１０３が配される。端子部１０３は、前記ディスプレイ部と電気的に連結され、また、フレキシブル印刷回路基板１０７と電気的に連結される。外部電源及び信号がフレキシブル印刷回路基板１０７と端子部１０３とを通じて前記ディスプレイ部に伝えられる。
【００２３】
端子部１０３を覆うように、第１基板１０１の露出された領域１０１ｂ上にガラス強化剤１０４を塗布する。ガラス強化剤としては、アクリレート（acrylate）、ウレタン（urethane）、アクリル酸ウレタン（urethane acrylate）、エポキシ樹脂（epoxy）などが挙げられる。平板ディスプレイパネルの場合、ディスプレイ部と外部フレキシブル印刷回路基板１０７とを電気的に連結する端子部１０３が配されるように、第１基板１０１の一側１０１ｂが第２基板１０２の外側に露出されるように形成される。端子部１０３が配される第１基板１０１の露出された領域１０１ｂは、第１基板１０１と第２基板１０２とが接合されず、単一基板（第１基板１０１）として存在するので、その強度が弱く、外部衝撃に弱い。したがって、本発明の第１実施形態による平板ディスプレイパネルは、端子部１０３が配された第１基板の露出された領域１０１ｂ上にガラス強化剤を塗布して第１基板の露出された領域１０１ｂの強度を向上させる。ガラス強化剤１０４は、端子部１０３を完全に覆うように、第１基板の露出された領域１０１ｂ上に塗布されうる。
【００２４】
図２は、本発明の第２実施形態による平板ディスプレイパネル２００を概略的に示す斜視図である。
【００２５】
図２を参照すれば、本発明の第２実施形態による平板ディスプレイパネル２００は、図１の第１実施形態と、ガラス強化剤１０４が塗布された領域において、差がある。
【００２６】
さらに詳細には、図２の平板ディスプレイパネル２００では、ガラス強化剤１０４が第１基板１０１の露出された部分１０１ｂだけでなく、第２基板１０２と第１基板の露出された部分１０１ｂとが接する領域１０１ｃにも塗布される。ガラス強化剤１０４は、第１基板１０１の露出された部分１０１ｂ及び第１基板１０１と第２基板１０２とが接する部分１０１ｃを塗布しつつ、端子部１０３を覆うように塗布する。前記のように塗布されたガラス強化剤１０４によって、第１基板１０１の露出された部分１０１ｂは、さらに強化される。
【００２７】
図３は、本発明の第３実施形態による平板ディスプレイパネル３００を概略的に示す斜視図である。
【００２８】
図３を参照すれば、本発明の第３実施形態による平板ディスプレイパネル３００は、図２に示された第２実施形態による平板ディスプレイパネル３００のガラス強化剤１０４上に防湿剤１０５を塗布する。防湿剤（desiccating agent）としては、シリコン（silicon）またはアクリレート（acrylate）が挙げられる。
【００２９】
さらに詳細には、ガラス強化剤１０４を第１基板１０１の露出された部分１０１ｂ及び第２基板１０２と第１基板の露出された部分１０１ｂとが接する領域１０１ｃを塗布し、第１基板１０１の露出された部分１０１ｂ上に塗布されたガラス強化剤１０４上に防湿剤１０５を塗布する。したがって、本発明の第３実施形態によれば、ガラス強化剤１０４によって、第１基板１０１の露出された部分１０１ｂは強化し、防湿剤１０５によって、端子部１０３の配線（図示せず）の腐蝕を防止できる。
【００３０】
図４は、本発明の第４実施形態による平板ディスプレイパネル４００を概略的に示す斜視図である。
【００３１】
図４を参照すれば、本発明の第４実施形態による平板ディスプレイパネル４００では、ガラス強化剤１０４が第２基板１０２と第１基板の露出された部分１０１ｂとが接する領域１０１ｃに塗布され、端子部１０３が配された第１基板の露出された部分１０１ｂには、塗布されない。但し、第１基板の露出された部分１０１ｂには、防湿剤１０５が塗布され、望ましくは、防湿剤１０５は、端子部１０３を覆うように、第１基板の露出された部分１０１ｂに塗布される。防湿剤１０５が端子部１０３を直接覆うように塗布されるので、端子部１０３の配線腐蝕を防止でき、ガラス強化剤１０４によって第１基板１０１の強度を向上させうる。
【００３２】
図５は、本発明の第５実施形態による平板ディスプレイパネル５００を概略的に示す斜視図である。
【００３３】
図５を参照すれば、本発明の第５実施形態による平板ディスプレイパネル５００では、ガラス強化剤１０４が防湿剤１０５を塗布するだけでなく、第１基板１０１の露出された部分１０１ｂと第２基板１０２とが接する領域１０１ｃを塗布する。詳細には、まず防湿剤１０５が端子部１０３を覆うように、第１基板１０１の露出された部分１０１ｂ上に塗布される。以後、ガラス強化剤１０４は、防湿剤１０５及び第１基板１０１の露出された部分１０１ｂと第２基板１０２とが接する領域１０１ｃを覆うように塗布される。防湿剤１０５によって端子部１０３の配線の腐蝕を防止でき、ガラス強化剤１０４が防湿剤１０５だけでなく、第１基板１０１の露出された部分１０１ｂと第２基板１０２とが接する領域１０１ｃまで塗布するので、第１基板１０１をさらに強化させうる。
【００３４】
本発明は、前記実施形態及び添付した図面によって限定されず、特許請求の範囲によって限定しようとし、当業者ならば、特許請求の範囲に記載された本発明の技術的思想を逸脱しない範囲内で多様な形態の置換、変形及び変更が可能であるということが分かるであろう。
【産業上の利用可能性】
【００３５】
本発明は、ディスプレイ関連の技術分野に好適に適用可能である。
【符号の説明】
【００３６】
１００，２００，３００，４００，５００  平板ディスプレイ装置
１０１  第１基板
１０２  第２基板
１０３  端子部
１０４  ガラス強化剤
１０５  防湿剤
【図１】
2010262295.tif 000003
【図２】
2010262295.tif 000004
【図３】
2010262295.tif 000005
【図４】
2010262295.tif 000006
【図５】
2010262295.tif 000007